(57)【要約】【課題】  変換部の性能の高い装置で画像データの解像度を変換することができる画像送受信システムを提供すること。【解決手段】  画像送信装置の第１変換部の性能が高い場合、ユーザ操作によって第１変換モードに設定され、変換制御部によって第１変換部で画像データの解像度が変換されるように制御される。画像送受信装置の第２変換部の性能が高い場合、ユーザ操作によって第２変換モードに設定され、変換制御部によって第２変換部で画像データの解像度が変換されるように制御される。画像受信装置の第３変換部の性能が高い場合、ユーザ操作によって第３変換モードに設定され、変換制御部によって第３変換部で画像データの解像度が変換されるように制御される。【選択図】図３
2010114860.tif 000002
【特許請求の範囲】
【請求項１】
画像データを送信する画像送信装置と、前記画像送信装置から画像データを受信して後記画像受信装置に送信する画像送受信装置と、前記画像送受信装置から画像データを受信する画像受信装置とを備え、
前記画像送信装置が、画像データの解像度を変換する第１変換手段を有し、
前記画像送受信装置が、画像データの解像度を変換する第２変換手段を有し、
前記画像受信装置が、画像データの解像度を変換する第３変換手段を有し、
前記画像送受信装置が、ユーザ操作に応じて変換モードを第１〜第３変換モードのいずれかに設定するモード設定手段と、
解像度を決定する解像度決定手段と、
前記変換モードが前記第１変換モードである場合、前記第１変換手段に画像データの解像度を前記解像度決定手段で決定された解像度に変換するように指示し、前記第２変換手段及び前記第３変換手段に解像度を変換しないように指示し、
前記変換モードが前記第２変換モードである場合、前記第２変換手段に画像データの解像度を前記解像度決定手段で決定された解像度に変換するように指示し、前記第１変換手段及び前記第３変換手段に解像度を変換しないように指示し、
前記変換モードが前記第３変換モードである場合、前記第３変換手段に画像データの解像度を前記解像度決定手段で決定された解像度に変換するように指示し、前記第１変換手段及び前記第２変換手段に解像度を変換しないように指示する変換制御手段とをさらに有する、画像送受信システム。
【請求項２】
前記画像送受信装置が、前記変換モードが前記第１変換モードである場合、前記画像送信装置から受信した画像データの解像度が前記解像度決定手段で決定された解像度であるか否かを判断する解像度判断手段をさらに有し、
前記画像送信装置から受信した画像データの解像度が前記解像度決定手段で決定された解像度でない場合に、前記変換制御手段が、前記第２変換手段に画像データの解像度を前記解像度決定手段で決定された解像度に変換するようにさらに指示する、請求項１に記載の画像送受信システム。
【請求項３】
請求項１または２に記載の画像送受信システムに適用される前記画像送受信装置であって、
画像データの解像度を変換する第２変換手段と、
ユーザ操作に応じて変換モードを設定するモード設定手段と、
解像度を決定する解像度決定手段と、
前記変換モードが前記第１変換モードである場合、前記第１変換手段に画像データの解像度を前記解像度決定手段で決定された解像度に変換するように指示し、前記第２変換手段及び前記第３変換手段に解像度を変換しないように指示し、
前記変換モードが前記第２変換モードである場合、前記第２変換手段に画像データの解像度を前記解像度決定手段で決定された解像度に変換するように指示し、前記第１変換手段及び前記第３変換手段に解像度を変換しないように指示し、
前記変換モードが前記第３変換モードである場合、前記第３変換手段に画像データの解像度を前記解像度決定手段で決定された解像度に変換するように指示し、前記第１変換手段及び前記第２変換手段に解像度を変換しないように指示する変換制御手段とを備える、画像送受信装置。
【請求項４】
請求項３に記載の画像送受信装置の各手段をコンピュータに実行させる画像送受信装置の動作プログラム。
【発明の詳細な説明】
【技術分野】
【０００１】
本発明は、画像送信装置から受信した画像データを、画像受信装置に送信する画像送受信装置に関する。
【背景技術】
【０００２】
最近、ＨＤＭＩ規格に準拠したソース機器（画像送信装置）であるＤＶＤプレーヤと、リピーター機器（画像送受信装置）であるＡＶアンプと、シンク機器（画像受信装置）であるディスプレイ装置とを備える画像送受信システムが利用されており、ＤＶＤプレーヤから出力されるＨＤＭＩデータに画像データ及び音声データを含めることにより、１本のＨＤＭＩケーブルによって画像データ及び音声データの両方をＡＶアンプを介してディスプレイ装置に送信することができる。ディスプレイ装置は、受信したＨＤＭＩデータを元の画像データに変換して表示する。
【０００３】
ＤＶＤプレーヤ、ＡＶアンプおよびディスプレイ装置は、それぞれ、画像データの解像度を変換する変換部を備えている。例えば、ＤＶＤプレーヤで再生される画像データの解像度が４８０ｐであって、ディスプレイ装置で１０８０ｐの画像データを表示する場合、ＤＶＤプレーヤ、ＡＶアンプおよびディスプレイ装置のいずれか１つの変換部が画像データの解像度を４８０ｐから１０８０ｐに変換すればよい。ここで、例えば、ＡＶアンプおよびディスプレイ装置が性能の高い変換部を備えており、ＤＶＤプレーヤが性能の低い変換部を備えている場合に、ＤＶＤプレーヤによって解像度が変換されてしまうと、ＤＶＤプレーヤからＡＶアンプに送信される画像データの画質が劣化してしまい、ディスプレイ装置で表示される画像データの画質が劣化するという問題が生じる。従って、可能な限り性能の高い変換部を備えているＡＶアンプ又はディスプレイ装置で解像度を変換することが望ましい。
【特許文献１】特許第３８６１９１６号
【特許文献２】特許第３８６１９１５号
【発明の開示】
【発明が解決しようとする課題】
【０００４】
本発明は、上記従来の課題を解決するためになされたものであり、その目的は、変換部の性能の高い装置で画像データの解像度を変換することができる画像送受信システムを提供することである。
【課題を解決するための手段】
【０００５】
本発明の好ましい実施形態による画像送受信システムは、画像データを送信する画像送信装置と、前記画像送信装置から画像データを受信して後記画像受信装置に送信する画像送受信装置と、前記画像送受信装置から画像データを受信する画像受信装置とを備え、前記画像送信装置が、画像データの解像度を変換する第１変換手段を有し、前記画像送受信装置が、画像データの解像度を変換する第２変換手段を有し、前記画像受信装置が、画像データの解像度を変換する第３変換手段を有し、前記画像送受信装置が、ユーザ操作に応じて変換モードを第１〜第３変換モードのいずれかに設定するモード設定手段と、解像度を決定する解像度決定手段と、前記変換モードが前記第１変換モードである場合、前記第１変換手段に画像データの解像度を前記解像度決定手段で決定された解像度に変換するように指示し、前記第２変換手段及び前記第３変換手段に解像度を変換しないように指示し、前記変換モードが前記第２変換モードである場合、前記第２変換手段に画像データの解像度を前記解像度決定手段で決定された解像度に変換するように指示し、前記第１変換手段及び前記第３変換手段に解像度を変換しないように指示し、前記変換モードが前記第３変換モードである場合、前記第３変換手段に画像データの解像度を前記解像度決定手段で決定された解像度に変換するように指示し、前記第１変換手段及び前記第２変換手段に解像度を変換しないように指示する変換制御手段とをさらに有する。
【０００６】
画像送信装置の第１変換部の性能が高い場合、ユーザ操作によって第１変換モードに設定される。この場合、変換制御部によって第１変換部で画像データの解像度が変換されるように制御されるので、性能が高い第１変換部で解像度を変換することができる。画像送受信装置の第２変換部の性能が高い場合、ユーザ操作によって第２変換モードに設定される。この場合、変換制御部によって第２変換部で画像データの解像度が変換されるように制御されるので、性能が高い第１変換部で解像度を変換することができる。画像受信装置の第３変換部の性能が高い場合、ユーザ操作によって第３変換モードに設定される。この場合、変換制御部によって第３変換部で画像データの解像度が変換されるように制御されるので、性能が高い第３変換部で解像度を変換することができる。
【０００７】
好ましくは、前記画像送受信装置が、前記変換モードが前記第１変換モードである場合、前記画像送信装置から受信した画像データの解像度が前記解像度決定手段で決定された解像度であるか否かを判断する解像度判断手段をさらに有し、前記画像送信装置から受信した画像データの解像度が前記解像度決定手段で決定された解像度でない場合に、前記変換制御手段が、前記第２変換手段に画像データの解像度を前記解像度決定手段で決定された解像度に変換するようにさらに指示する。
【０００８】
第１変換モードにおいて、解像度決定手段で決定された解像度に第１変換部が変換できない場合、第２変換部が代わりに解像度を変換するので、決定された解像度に変換できないという問題を解決できる。
【発明の効果】
【０００９】
変換部の性能の高い装置で画像データの解像度を変換することができる。
【発明を実施するための最良の形態】
【００１０】
以下、本発明の好ましい実施形態によるＤＶＤプレーヤ（画像送信装置、ソース機器）、ＡＶアンプ（画像送受信装置、リピーター機器）及びディスプレイ装置（画像受信装置、シンク機器）を備える画像送受信システムついて、図面を参照して具体的に説明するが、本発明はこれらの実施形態には限定されない。
【００１１】
図１は、ＤＶＤプレーヤ１０、ＡＶアンプ２０及びディスプレイ装置３０の構成を示すブロック図である。ＤＶＤプレーヤ１０、ＡＶアンプ２０及びディスプレイ装置３０は、例えばＨＤＭＩ規格に準拠しており、ＨＤＭＩケーブルを介して相互に接続されている。
【００１２】
［ＤＶＤプレーヤ１０の構成］
ＤＶＤプレーヤ１０は、再生部１１と、変換部１２と、ＨＤＭＩ送信部１３と、制御部１４と、操作表示部１５と、メモリ１６と、コネクタ部１７とを有している。
【００１３】
再生部１１は、ＤＶＤディスクが挿入された時、ＤＶＤディスクに記録されている画像データ（映像データの意味を含む）を読み出して、デコードし、変換部１２に供給する。また、再生部１１は、ＤＶＤディスクに記録されている音声データを読み出して、デコードし、ＨＤＭＩ送信部１３に供給する。再生部１１は、図示しない光ピックアップ、サーボ回路、ＭＰＥＧデコーダ等を含む。
【００１４】
変換部１２は、供給された画像データを、制御部１４によって指示された解像度に変換して、ＨＤＭＩ送信部１３に供給する。詳細は後述するが、変換後の解像度は、ＡＶアンプ２０の制御部２３からＣＥＣラインを介して指示されたものである。また、変換部１２は、供給された画像データを、制御部１４からの指示に応じて、解像度を変換せずにＨＤＭＩ送信部１３に供給する。
【００１５】
ＨＤＭＩ送信部１３は、変換部１２から供給された画像データ、及び／又は、再生部１１から供給された音声データを、制御部１４からの指示により、ＨＤＭＩ規格のデータ（以下、ＨＤＭＩデータ）に変換する。ＨＤＭＩ送信部１３は、ＨＤＭＩデータを、コネクタ部１７を介してＡＶアンプ２０に送信する。
【００１６】
ＨＤＭＩ送信部１３は、ＨＤＭＩデータを送受信するＴＭＤＳライン（通常は複数存在するが図１では簡単のため１本のラインのみを記載している）、及び、ホットプラグラインを介して、ＡＶアンプ２０のＨＤＭＩ受信部２１に接続される。また、ＨＤＭＩ送信部１３は、ＥＤＩＤを読み出すためのＤＤＣラインを介してＡＶアンプ２０のＨＤＭＩ受信部２１、ＰＲＯＭ２５に接続されている。
【００１７】
制御部１４は、内蔵又は接続されたメモリに格納されているＤＶＤプレーヤの動作プログラムに基づいて、再生部１１、変換部１２、ＨＤＭＩ送信部１３、操作表示部１５、メモリ１６等を制御するものであり、例えば、マイクロコンピュータやＣＰＵ等である。制御部１４は、操作表示部１５からの操作入力または各部からの制御信号およびデータに基づいて各種処理を実行する。
【００１８】
制御部１４は、ＣＥＣラインを介してＡＶアンプ２０の制御部２３に接続され、制御部２３とコマンド及び／又はデータを送受信する。制御部１４は、ＡＶアンプ２０の制御部２３から、ＨＤＭＩ送信部１３が出力すべき画像データの解像度を変換する指示をＣＥＣラインを介して受信すると、指示された解像度に画像データを変更するように変換部１２を制御する。また、制御部１４は、ＡＶアンプ２０の制御部２３から、ＨＤＭＩ送信部１３が出力すべき画像データの解像度を変換しない指示をＣＥＣラインを介して受信すると、画像データの解像度を変更しないように変換部１２を制御する。
【００１９】
［ＡＶアンプの構成］
ＡＶアンプ２０は、ＨＤＭＩ受信部２１と、ＨＤＭＩ送信部２２と、制御部２３と、変換部２４と、メモリ（ＥＤＩＤ  ＰＲＯＭ、以下、ＰＲＯＭとする）２５と、音声処理部２６と、コネクタ部２７、２８と、操作表示部２９とを有している。
【００２０】
ＨＤＭＩ受信部２１は、ＤＶＤプレーヤ１０から送信されたＨＤＭＩデータを受信して、受信したＨＤＭＩデータから元の画像データ（ＨＤＭＩ変換前の画像データ）を生成して、変換部２４、及び／又は、ＨＤＭＩ送信部２２に供給する。また、ＨＤＭＩ受信部２１は、受信したＨＤＭＩデータから元の音声データを生成して、音声処理部２６に供給する。
【００２１】
ＨＤＭＩ受信部２１は、ＨＤＭＩデータから画像データの解像度に関する情報を読み出して制御部２３に供給する。解像度に関する情報は、例えば、ＨＤＭＩデータのAVI Infoに記述されている。
【００２２】
変換部２４は、ＨＤＭＩ受信部２１から供給された画像データを、制御部２３によって指示された解像度に変換して、ＨＤＭＩ送信部２２に供給する。または、変換部２４は、ＨＤＭＩ受信部２１から供給された画像データを、制御部２３の指示に応じて、解像度を変換せずにＨＤＭＩ送信部２２に供給する。
【００２３】
ＨＤＭＩ送信部２２は、変換部２４又はＨＤＭＩ受信部２１から供給された画像データ、及び、必要に応じて音声処理部２６から供給された音声データを、ＨＤＭＩデータに変換する。ＨＤＭＩ送信部２２は、コネクタ部２８を介してディスプレイ装置３０にＨＤＭＩデータを送信する。
【００２４】
ＨＤＭＩ送信部２２は、ＴＭＤＳラインおよびホットプラグラインを介して、ディスプレイ装置３０のＨＤＭＩ受信部３１に接続されている。また、ＨＤＭＩ送信部２２は、ＥＤＩＤを読み出すためのＤＤＣラインを介してディスプレイ装置３０のＰＲＯＭ３４及びＨＤＭＩ受信部３１に接続されている。
【００２５】
音声処理部２６は、ＨＤＭＩ受信部２１から供給された音声データに対して、信号処理、増幅処理、Ｄ／Ａ変換等の処理を実行し、外部に接続されたスピーカー６０に音声信号を供給する。また、必要に応じて、音声処理部２６は、音声データをＨＤＭＩ送信部２２に供給する。
【００２６】
制御部２３は、内蔵又は接続されたメモリに記憶されているＡＶアンプの動作プログラムに基づいて、ＨＤＭＩ受信部２１、ＨＤＭＩ送信部２２、変換部２４、ＰＲＯＭ２５、音声処理部２６、操作表示部２９等を制御するものであり、例えば、マイクロコンピュータやＣＰＵ等である。制御部２３は、操作表示部２４からの操作入力または各部からの制御信号およびデータに基づいて各種処理を実行する。
【００２７】
制御部２３は、ＣＥＣラインを介してＤＶＤプレーヤ１０の制御部１４に接続され、制御部１４とコマンドおよびデータを送受信する。また、制御部２３は、ＣＥＣラインを介してディスプレイ装置３０の制御部３３に接続され、制御部３３とコマンドおよびデータを送受信する。
【００２８】
制御部２３は、ユーザの選択操作に応じて、ＤＶＤプレーヤ１０、ＡＶアンプ２０及びディスプレイ装置３０の各変換部の中からどの変換部で画像データの解像度を変換するかを表す変換モードを設定する（設定するとは、図示しないメモリにユーザ操作によって選択された変換モードを記憶することをいう）。図２に示すように、変換モードには、ＤＶＤプレーヤ１０の変換部１２で解像度を変換するＤＶＤプレーヤ変換モードと、ＡＶアンプ２０の変換部２４で解像度を変換するＡＶアンプ変換モードと、ディスプレイ装置３０の変換部３２で解像度を変換するディスプレイ装置変換モードとが存在する。これらの変換モードの内、１つの選択モードがユーザ操作によって選択される。
【００２９】
制御部２３は、変換モードがＤＶＤプレーヤ変換モードである場合、ＤＶＤプレーヤ１０の制御部１４にＣＥＣラインを介して解像度を変換する指示を送信する。制御部２３は、変換モードがＡＶアンプ変換モードである場合、ＡＶアンプ２０の変換部２４に解像度を変換する指示を送信する。制御部２３は、変換モードがディスプレイ装置変換モードである場合、ディスプレイ装置３０の制御部３３にＣＥＣラインを介して解像度を変換する指示を送信する。
【００３０】
［ディスプレイ装置３０の構成］
ディスプレイ装置３０は、ＨＤＭＩ受信部３１と、変換部３２と、制御部３３と、メモリ（ＥＤＩＤ  ＰＲＯＭ、以下、ＰＲＯＭとする）３４と、操作部３５と、音声処理部３６と、スピーカー３７と、表示部３８と、コネクタ部３９とを有する。
【００３１】
ＨＤＭＩ受信部３１は、ＡＶアンプ２０のＨＤＭＩ送信部２２から送信されたＨＤＭＩデータを受信して、ＨＤＭＩデータから元の画像データを生成し、変換部３２に供給する。また、ＨＤＭＩ受信部３１は、ＨＤＭＩデータから元の音声データを生成して、音声処理部３６に供給する。
【００３２】
変換部３２は、ＨＤＭＩ受信部３１からの画像データの解像度を制御部３３からの指示に応じて変換し、変換後の画像データを表示部３８に供給する。または、変換部３２は、ＨＤＭＩ受信部３１からの画像データの解像度を制御部３３からの指示に応じて変換せずに、画像データをそのまま表示部３８に供給する。
【００３３】
表示部３８は、変換部３２又はＨＤＭＩ受信部３１から画像データが供給され、当該画像データに基づいて画像を表示するものであり、例えば、ＬＣＤまたはＣＲＴ等である。
【００３４】
音声処理部３６は、ＨＤＭＩ受信部３１から供給された音声データを、信号処理、増幅処理、Ｄ／Ａ変換等の処理を実行し、スピーカー３７に供給する。
【００３５】
制御部３３は、内蔵又は接続されたメモリに格納されたディスプレイ装置の動作プログラムに基づいて、ＨＤＭＩ受信部３１、変換部３２、ＰＲＯＭ３４、音声処理部３６、表示部３８等を制御するものであり、例えば、マイクロコンピュータやＣＰＵ等である。制御部３３は、操作部３５からの操作入力または各部からの制御信号およびデータに基づいて各種処理を実行する。
【００３６】
制御部３３は、ＡＶアンプ２０の制御部２３からＣＥＣラインを介して解像度を変換する指示が供給された場合、変換指示された解像度に画像データを変換するように変換部３２を制御する。一方、ＡＶアンプ２０の制御部２３からＣＥＣラインを介して解像度を変換しない指示が供給された場合、画像データの解像度を変換しないように変換部３２を制御する。
【００３７】
［動作］
図３は、ＡＶアンプ２０の制御部２３の処理を示すフローチャートである。図４は、ディスプレイ装置３０が対応可能な解像度を示す表であり、ＰＲＯＭ３４に格納されている。図５は、ＡＶアンプ２０が対応可能な解像度を示す表であり、ＰＲＯＭ２５に格納されている。図６は、ディスプレイ装置３０とＡＶアンプ２０とが共通して対応可能な解像度を示す表である。図７は、ＤＶＤプレーヤ１０が対応可能な解像度を示す表であり、メモリ１６に格納されている。図８は、ＤＶＤプレーヤ１０の制御部１４の処理を示すフローチャートである。図９は、ディスプレイ装置３０の制御部３３の処理を示すフローチャートである。
【００３８】
図３に示すように、ＡＶアンプ２０の制御部２３は、ディスプレイ装置３０のＰＲＯＭ３４にＤＤＣラインを介して接続し、図４に示すディスプレイ装置３０が対応可能な解像度の情報を取得する（Ｓ１）。続いて、制御部２３は、ディスプレイ装置３０で表示すべき画像データの解像度を決定する（Ｓ２）。詳細には、図４に示すディスプレイ装置３０が対応可能な解像度と、図５に示すＡＶアンプ２０が対応可能な解像度とに共通する解像度（図６参照）を特定する。この場合、４８０ｐ、１０８０ｉ、１０８０ｐの３つの解像度が特定される。制御部２３は、図６の共通解像度の中から１つの解像度を決定する。例えば、図６の共通解像度を操作表示部２９に表示させ、ユーザ操作によって１つの解像度を選択してもよく、最も高い解像度（この場合は、１０８０ｐ）を制御部２３が自動的に選択してもよい。ここでは、制御部２３は、１０８０ｐに決定したとする。
【００３９】
続いて、制御部２３は、変換モードを判別する（Ｓ３、Ｓ４）。まず、制御部２３は、変換モードがＤＶＤプレーヤ変換モードであるか否かを判断する（Ｓ３）。ＤＶＤプレーヤ変換モードであれば（Ｓ３でＹＥＳ）、Ｓ５に進み、ＤＶＤプレーヤ変換モードでなければ（Ｓ３でＮＯ）、制御部２３は、ＡＶアンプ変換モードであるか否かを判断する（Ｓ４）。ＡＶアンプ変換モードであれば（Ｓ４でＹＥＳ）、Ｓ８に進み、ＡＶアンプ変換モードでなければ（Ｓ４でＮＯ）、ディスプレイ装置変換モードであると判断されて、Ｓ１１に進む。
【００４０】
ＤＶＤプレーヤ変換モードである場合（Ｓ３でＹＥＳ）、制御部２３は、Ｓ２で決定した解像度に画像データを変換するようにＤＶＤプレーヤ１０の制御１４にＣＥＣラインを介して指示を送信する（Ｓ５）。図８に示すように、ＤＶＤプレーヤ１０の制御部１４は、ＡＶアンプ２０の制御部２３からＣＥＣラインを介して解像度を変換する指示を受信したか否かを判断している（Ｓ２１）。解像度を変換する指示を受信すると（Ｓ２１でＹＥＳ）、制御部１４は、指示された解像度に変換するように変換部１２を制御する（Ｓ２２）。これに応じて、変換部１２は、画像データを指示された解像度に変換する。
【００４１】
図３に戻って、ＡＶアンプ２０の制御部２３は、解像度を変換しないようにＡＶアンプ２０の各部を制御する（Ｓ６）。例えば、制御部２３は、変換部２４に画像データを解像度変換せずにＨＤＭＩ送信部２２に供給させる。または、制御部２３は、ＨＤＭＩ送信部２１に画像データを、変換部２４を経由せずに直接ＨＤＭＩ送信部２２に供給させる。
【００４２】
また、制御部２３は、ディスプレイ装置３０の制御部３３に、ＣＥＣラインを介して、解像度を変換しないように指示を送信する（Ｓ７）。図９に示すように、ディスプレイ装置３０の制御部３３は、ＣＥＣラインを介してＡＶアンプ２０の制御部２３から、解像度変換しない指示を受信したか否かを判断している（Ｓ３３）。解像度変換しない指示を受信した場合（Ｓ３３でＹＥＳ）、解像度を変換しないようにディスプレイ装置３０の各部を制御する（Ｓ３４）。例えば、制御部３３は、変換部３２に画像データの解像度を変換せずに表示部３８に供給させる。または、制御部３３は、ＨＤＭＩ受信部３１に変換部３２を経由せずに、画像データを表示部３８に供給させる。
【００４３】
以上のように、ＤＶＤプレーヤ変換モードにおいては、ＤＶＤプレーヤ１０の変換部１２が画像データの解像度を変換し、ＡＶアンプ２０の変換部２４およびディスプレイ装置３０の変換部３２は解像度を変換しない。従って、ＤＶＤプレーヤ１０の変換部１２の性能が高い場合には、ＤＶＤプレーヤ変換モードを選択することによって、性能の高いＤＶＤプレーヤ１０の変換部１２で解像度を変換することができる。
【００４４】
なお、例えば、Ｓ２で決定された解像度が１０８０ｉであり、図７に示すようにＤＶＤプレーヤ１０が決定された解像度１０８０ｉに対応していない場合には、ＤＶＤプレーヤ１０は他の解像度（例えば、４８０ｐ）で画像データをＡＶアンプ２０に送信する。従って、この場合には、ＡＶアンプ２０の変換部２４で画像データの解像度を変換する。ＡＶアンプ２０が対応可能な解像度とディスプレイ装置３０が対応可能な解像度との共通解像度から変換後の解像度を決定しているので、ＡＶアンプ２０の変換部２４は必ず決定した解像度に変換することができる。
【００４５】
図３に示すように、制御部２３はＤＶＤプレーヤ１０から受信した画像データの解像度がＳ２で決定した解像度であるか否かを判断する（Ｓ１４）。決定した解像度であれば（Ｓ１４でＹＥＳ）、ＤＶＤプレーヤ１４の変換部１２がＳ２で決定した解像度に変換することができているので、処理を終了する。一方、決定した解像度でなければ（Ｓ１４でＮＯ）、ＤＶＤプレーヤ１４の変換部１２がＳ２で決定した解像度に変換することができなかったので、制御部２３は、ＨＤＭＩ受信部２１に画像データを変換部２４に供給させ、変換部２３に画像データの解像度をＳ２で決定した解像度に変換させる（Ｓ１５）。これにより、Ｓ２で決定された解像度にＤＶＤプレーヤ１０の変換部１４が変換できない場合にも、代わりにＡＶアンプ２０の変換部２３によってＳ２で決定された解像度に変換することができる。
【００４６】
次に、ＡＶアンプ変換モードである場合（Ｓ４でＹＥＳ）、制御部２３は、ＤＶＤプレーヤ１０の制御部１４に、ＣＥＣラインを介して、解像度を変換しないように指示を送信する（Ｓ８）。図８に示すように、ＤＶＤプレーヤ１０の制御部１４は、ＣＥＣラインを介してＡＶアンプ２０の制御部２３から、解像度変換しない指示を受信したか否かを判断している（Ｓ２３）。解像度変換しない指示を受信した場合（Ｓ２３でＹＥＳ）、解像度を変換しないようにＤＶＤプレーヤ１０の各部を制御する（Ｓ２４）。例えば、制御部１４は、変換部１２に、解像度を変換せずに、画像データをＨＤＭＩ送信部１３に供給させる。または、制御部３３は、再生部１１に変換部１２を経由せずに、画像データをＨＤＭＩ送信部１３に供給させる。
【００４７】
図３に戻り、制御部２３は、ＡＶアンプ２０の各部に、画像データの解像度をＳ２で決定した解像度に変換させるように制御する（Ｓ９）。すなわち、制御部２３は、ＨＤＭＩ受信部２１に画像データを変換部２４に供給させ、変換部２３に画像データの解像度をＳ２で決定した解像度に変換させる。
【００４８】
制御部２３は、ディスプレイ装置３０の制御部３３に、ＣＥＣラインを介して、解像度を変換しないように指示を送信する（Ｓ１０）。図９に示すように、ディスプレイ装置３０の制御部３３は、ＣＥＣラインを介してＡＶアンプ２０の制御部２３から、解像度変換しない指示を受信したか否かを判断している（Ｓ３３）。解像度変換しない指示を受信した場合（Ｓ３３でＹＥＳ）、解像度を変換しないようにディスプレイ装置３０の各部を制御する（Ｓ３４）。例えば、制御部３３は、変換部３２に画像データの解像度を変換せずに表示部３８に供給させる。または、制御部３３は、ＨＤＭＩ受信部３１に変換部３２を経由せずに、画像データを表示部３８に供給させる。
【００４９】
以上のように、ＡＶアンプ変換モードにおいては、ＡＶアンプ２０の変換部２４が画像データの解像度を変換し、ＤＶＤプレーヤ１０の変換部１２およびディスプレイ装置３０の変換部３２は解像度を変換しない。従って、ＡＶアンプ２０の変換部２４の性能が高い場合には、ＡＶアンプ変換モードを選択することによって、性能の高いＡＶアンプ２０の変換部２４で解像度を変換することができる。
【００５０】
次に、ディスプレイ装置変換モードである場合（Ｓ４でＮＯ）、制御部２３は、ＤＶＤプレーヤ１０の制御部１４に、ＣＥＣラインを介して、解像度を変換しないように指示を送信する（Ｓ１１）。図８に示すように、ＤＶＤプレーヤ１０の制御部１４は、ＣＥＣラインを介してＡＶアンプ２０の制御部２３から、解像度変換しない指示を受信したか否かを判断している（Ｓ２３）。解像度変換しない指示を受信した場合（Ｓ２３でＹＥＳ）、解像度を変換しないようにＤＶＤプレーヤ１０の各部を制御する（Ｓ２４）。例えば、制御部１４は、変換部１２に、解像度を変換せずに、画像データをＨＤＭＩ送信部１３に供給させる。または、制御部３３は、再生部１１に変換部１２を経由せずに、画像データをＨＤＭＩ送信部１３に供給させる。
【００５１】
図３に戻って、ＡＶアンプ２０の制御部２３は、解像度を変換しないようにＡＶアンプ２０の各部を制御する（Ｓ１２）。例えば、制御部２３は、変換部２４に画像データを解像度変換せずにＨＤＭＩ送信部２２に供給させる。または、制御部２３は、ＨＤＭＩ送信部２１に画像データを、変換部２４を経由せずに直接ＨＤＭＩ送信部２２に供給させる。
【００５２】
制御部２３は、Ｓ２で決定した解像度に画像データを変換するようにディスプレイ装置３０の制御部３３にＣＥＣラインを介して指示を送信する（Ｓ１３）。図９に示すように、ディスプレイ装置３０の制御部３３は、ＡＶアンプ２０の制御部２３からＣＥＣラインを介して解像度を変換する指示を受信したか否かを判断している（Ｓ３１）。解像度を変換する指示を受信すると（Ｓ３１でＹＥＳ）、制御部３３は、ＨＤＭＩ受信部３１に、画像データを変換部３２に供給させ、変換部３２に、画像データを指示された解像度に変換させる（Ｓ３２）。これに応じて、変換部３２は、画像データを指示された解像度に変換する。
【００５３】
以上のように、ディスプレイ装置変換モードにおいては、ディスプレイ装置３０の変換部３２が画像データの解像度を変換し、ＤＶＤプレーヤ１０の変換部１２およびＡＶアンプ２０の変換部２４は解像度を変換しない。従って、ディスプレイ装置３０の変換部３２の性能が高い場合には、ディスプレイ装置変換モードを選択することによって、性能の高いディスプレイ装置３０の変換部３２で解像度を変換することができる。
【００５４】
以上、本発明の好ましい実施形態を説明したが、本発明はこれらの実施形態には限定されない。また、ＤＶＤプレーヤ、ＡＶアンプ、ディスプレイ装置の上記動作をコンピュータに実行させるためのプログラムおよびこれを記録した記録媒体という形態で提供されてもよい。
【産業上の利用可能性】
【００５５】
本発明は、ＤＶＤプレーヤ、ＡＶアンプ、ディスプレイ装置等に好適に採用され得る。
【図面の簡単な説明】
【００５６】
【図１】本発明の好ましい実施形態によるＤＶＤプレーヤ１０、ＡＶアンプ２０及びディスプレイ装置３０の構成を示すブロック図である。
【図２】変換モードを説明する図である。
【図３】ＡＶアンプ２０の処理を示すフローチャートである。
【図４】ディスプレイ装置３０の対応可能な解像度を示す図である。
【図５】ＡＶアンプ２０の対応可能な解像度を示す図である。
【図６】ディスプレイ装置３０の対応可能な解像度とＡＶアンプ２０の対応可能な解像度との共通解像度を示す図である。
【図７】ＤＶＤプレーヤ１０の対応可能な解像度を示す図である。
【図８】ＤＶＤプレーヤ１０の処理を示すフローチャートである。
【図９】ディスプレイ装置３０の処理を示すフローチャートである。
【符号の説明】
【００５７】
１０            ＤＶＤプレーヤ
１１            再生部
１２            変換部
１３            ＨＤＭＩ送信部
１４            制御部
２０            ＡＶアンプ
２１            ＨＤＭＩ受信部
２２            ＨＤＭＩ送信部
２３            制御部
２４            変換部
３０            ディスプレイ装置
３１            ＨＤＭＩ受信部
３２            変換部
３３            制御部
【図１】
2010114860.tif 000003
【図２】
2010114860.tif 000004
【図３】
2010114860.tif 000005
【図４】
2010114860.tif 000006
【図５】
2010114860.tif 000007
【図６】
2010114860.tif 000008
【図７】
2010114860.tif 000009
【図８】
2010114860.tif 000010
【図９】
2010114860.tif 000011